(57)【要約】【課題】蒸気供給源に供給する水の温度を高くする。【解決手段】ドレン回収システム１０は、給水タンク２０と、給水タンク２０内の水を蒸気供給源１２に導く給水配管２４と、蒸気供給源１２から供給された蒸気と被加熱物との間の熱交換によって生じたドレンを、大気圧において液体成分と気体成分とに分離する分離器２８と、分離器２８によって分離された気体成分を給水タンク２０に導く気体流通部（気体流通管３０）と、一端が分離器２８に、他端が給水配管２４に連通し、分離器２８によって分離された液体成分を、給水タンク２０を経由することなく給水配管２４に導く液体流通部（液体流通管３２）と、を備える。【選択図】図１
2020060325.tif 000002
【特許請求の範囲】
【請求項１】
給水タンクと、
前記給水タンク内の水を蒸気供給源に導く給水配管と、
前記蒸気供給源から供給された蒸気と被加熱物との間の熱交換によって生じたドレンを、大気圧において液体成分と気体成分とに分離する分離器と、
前記分離器によって分離された前記気体成分を前記給水タンクに導く気体流通部と、
一端が前記分離器に、他端が前記給水配管に連通し、前記分離器によって分離された前記液体成分を、前記給水タンクを経由することなく前記給水配管に導く液体流通部と、
を備えるドレン回収システム。
【請求項２】
前記気体流通部に連通し、前記気体流通部に水を導くシャワー管と、
前記シャワー管の先端に設けられ、前記気体流通部内に開口する噴出口と、
を備える請求項１に記載のドレン回収システム。
【請求項３】
前記給水タンク内の水位を検出するレベル計と、
前記シャワー管における流路を開閉するコントロールバルブと、
前記レベル計の検出結果に基づいて、前記コントロールバルブの開度を制御する制御部と、
を備える請求項２に記載のドレン回収システム。
【請求項４】
前記液体流通管内の温度を検出する熱回収温度センサと、
前記シャワー管における流路を開閉するコントロールバルブと、
前記熱回収温度センサの検出結果に基づいて、前記コントロールバルブの開度を制御する制御部と、
を備える請求項２に記載のドレン回収システム。
【請求項５】
前記分離器にドレンを供給するドレン配管内の温度を検出するドレン温度センサと、
前記シャワー管における流路を開閉するシャットバルブと、
前記ドレン温度センサの検出結果に基づいて、前記シャットバルブの開度を制御する制御部と、
を備える請求項２から４のいずれか１項に記載のドレン回収システム。
【請求項６】
前記分離器にドレンを供給するドレン配管内の温度を検出するドレン温度センサと、
前記給水タンク内の水位を検出するレベル計と、
前記シャワー管における流路を開閉するシャットバルブと、
前記ドレン温度センサの検出結果および前記レベル計の検出結果に基づいて、前記シャットバルブの開度を制御する制御部と、
を備える請求項２から５のいずれか１項に記載のドレン回収システム。
【請求項７】
前記給水配管における前記液体流通部が連通する位置と、前記給水タンクとの間に設けられ、前記給水タンクに向かう方向の流れを阻止する逆止弁と、
前記液体流通部と前記給水タンクとを連通する連通管と、
を備える請求項１から６のいずれか１項に記載のドレン回収システム。
【請求項８】
前記連通管による圧損は、前記液体流通部による圧損よりも大きい請求項７に記載のドレン回収システム。
【請求項９】
前記連通管は、前記液体流通部側の端部が、前記給水タンク側の端部よりも鉛直上方に位置する請求項７に記載のドレン回収システム。
【請求項１０】
前記液体流通部に連通するオーバーフロー管と、
前記オーバーフロー管における流路を開閉するオーバーフロー弁と、
前記分離器にドレンを供給するドレン配管内の温度を検出するドレン温度センサと、
前記ドレン温度センサの検出結果に基づいて、前記オーバーフロー弁の開度を制御する制御部と、
を備える請求項１から９のいずれか１項に記載のドレン回収システム。
【発明の詳細な説明】
【技術分野】
【０００１】
本発明は、蒸気供給源で生成される蒸気の潜熱が被加熱物の加熱に利用されることで生じるドレンを回収するドレン回収システムに関する。
【背景技術】
【０００２】
ボイラなどの蒸気供給源は、給水タンクから供給される水を加熱して蒸気を生成する。蒸気供給源で生成された蒸気は、熱交換器などの蒸気消費機器に供給される。蒸気消費機器では、蒸気の潜熱が被加熱物の加熱に利用されてドレンが生じる。ドレンは、給水タンクにて回収される。
【先行技術文献】
【特許文献】
【０００３】
【特許文献１】特開昭６１−１９０２号公報
【発明の概要】
【発明が解決しようとする課題】
【０００４】
ドレンは、内部の圧力が大気圧にされた給水タンクにおける比較的鉛直上方の位置に送入される。一方、給水タンクに貯留された水は、例えば、給水タンクの側面における比較的鉛直下方の位置から蒸気供給源に送出される。このため、この構成では、給水タンク内に水が貯留されていると、温度の高いドレンの熱が、蒸気供給源に供給する水に伝熱され難く、蒸気供給源に供給する水の温度が低いままであった。
【０００５】
ここで、特許文献１のように、加圧下の気水分離器でドレンを気体成分と液体成分とに分離し、液体成分をサブクーラで冷却した後、冷却された液体成分を蒸気供給源に送出する技術が開示されている。しかし、かかる技術においても、蒸気供給源に供給する水の温度は低い。
【０００６】
本発明は、このような課題に鑑み、蒸気供給源に供給する水の温度を高くすることが可能なドレン回収システムを提供することを目的としている。
【課題を解決するための手段】
【０００７】
上記課題を解決するために、本発明のドレン回収システムは、給水タンクと、給水タンク内の水を蒸気供給源に導く給水配管と、蒸気供給源から供給された蒸気と被加熱物との間の熱交換によって生じたドレンを、大気圧において液体成分と気体成分とに分離する分離器と、分離器によって分離された気体成分を給水タンクに導く気体流通部と、一端が分離器に、他端が給水配管に連通し、分離器によって分離された液体成分を、給水タンクを経由することなく給水配管に導く液体流通部と、を備える。
【０００８】
また、気体流通部に連通し、気体流通部に水を導くシャワー管と、シャワー管の先端に設けられ、気体流通部内に開口する噴出口と、を備えてもよい。
【０００９】
また、給水タンク内の水位を検出するレベル計と、シャワー管における流路を開閉するコントロールバルブと、レベル計の検出結果に基づいて、コントロールバルブの開度を制御する制御部と、を備えてもよい。
【００１０】
また、液体流通管内の温度を検出する熱回収温度センサと、シャワー管における流路を開閉するコントロールバルブと、熱回収温度センサの検出結果に基づいて、コントロールバルブの開度を制御する制御部と、を備えてもよい。
【００１１】
また、分離器にドレンを供給するドレン配管内の温度を検出するドレン温度センサと、シャワー管における流路を開閉するシャットバルブと、ドレン温度センサの検出結果に基づいて、シャットバルブの開度を制御する制御部と、を備えてもよい。
【００１２】
また、分離器にドレンを供給するドレン配管内の温度を検出するドレン温度センサと、給水タンク内の水位を検出するレベル計と、シャワー管における流路を開閉するシャットバルブと、ドレン温度センサの検出結果およびレベル計の検出結果に基づいて、シャットバルブの開度を制御する制御部と、を備えてもよい。
【００１３】
また、給水配管における液体流通部が連通する位置と、給水タンクとの間に設けられ、給水タンクに向かう方向の流れを阻止する逆止弁と、液体流通部と給水タンクとを連通する連通管と、を備えてもよい。
【００１４】
また、連通管による圧損は、液体流通部による圧損よりも大きくてもよい。
【００１５】
また連通管は、液体流通部側の端部が、給水タンク側の端部よりも鉛直上方に位置してもよい。
【００１６】
また、液体流通部に連通するオーバーフロー管と、オーバーフロー管における流路を開閉するオーバーフロー弁と、分離器にドレンを供給するドレン配管内の温度を検出するドレン温度センサと、ドレン温度センサの検出結果に基づいて、オーバーフロー弁の開度を制御する制御部と、を備えてもよい。
【発明の効果】
【００１７】
本発明によれば、蒸気供給源に供給する水の温度を高くすることが可能となる。
【図面の簡単な説明】
【００１８】
【図１】第１実施形態によるドレン回収システムが適用された蒸気熱交換ユニットの構成を示す概略図である。
【図２】第２実施形態によるドレン回収システムが適用された蒸気熱交換ユニットの構成を示す概略図である。
【図３】シャワー管と気体流通管との接続部分の部分拡大図である。
【図４】第２実施形態のドレン回収システムを説明する説明図である。
【図５】第３実施形態によるドレン回収システムが適用された蒸気熱交換ユニットの構成を示す概略図である。
【図６】第４実施形態によるドレン回収システムが適用された蒸気熱交換ユニットの構成を示す概略図である。
【図７】第５実施形態によるドレン回収システムが適用された蒸気熱交換ユニットの構成を示す概略図である。
【図８】第６実施形態によるドレン回収システムが適用された蒸気熱交換ユニットの構成を示す概略図である。
【図９】第７実施形態によるドレン回収システムが適用された蒸気熱交換ユニットの構成を示す概略図である。
【発明を実施するための形態】
【００１９】
以下に添付図面を参照しながら、本発明の実施形態の態様について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２０】
（第１実施形態）
図１は、第１実施形態によるドレン回収システム１０が適用された蒸気熱交換ユニット１の構成を示す概略図である。図１では、水、蒸気およびドレンの流れの方向を実線の矢印で示し、信号の流れの方向を破線の矢印で示している。
【００２１】
蒸気熱交換ユニット１は、ドレン回収システム１０、蒸気供給源１２、給水ポンプ１４、蒸気消費機器１６を含んで構成される。ドレン回収システム１０は、給水タンク２０、補給水管２２、給水配管２４、ドレン配管２６、分離器２８、気体流通管３０、液体流通管３２、通気管３４、レベル計３６、補給水弁３８、制御部４０を含んで構成される。
【００２２】
給水タンク２０は、例えば、円筒状の容器である。給水タンク２０には、軟水器（図示略）から延びる補給水管２２が接続されている。給水タンク２０は、補給水管２２を通じて供給される水を貯留する。なお、図１では、給水タンク２０内の水をハッチングで示している。
【００２３】
給水配管２４は、給水タンク２０の側面における底面付近に接続されて給水タンク２０内に連通している。給水配管２４は、給水ポンプ１４を介して蒸気供給源１２に連通している。給水ポンプ１４は、給水配管２４を通じて、給水タンク２０内の水を蒸気供給源１２に送る。つまり、給水配管２４は、給水タンク２０内の水を蒸気供給源１２に導く。
【００２４】
蒸気供給源１２は、例えば、ボイラであり、給水配管２４を通じて供給された水（給水）を加熱して蒸気を生成する。蒸気供給源１２で生成された蒸気は、蒸気消費機器１６に送られる。蒸気消費機器１６は、例えば、熱交換器などである。蒸気消費機器１６では、蒸気と被加熱物（例えば、空気や水など）とで熱交換が行われ、蒸気の潜熱で被加熱物が加熱される。蒸気の潜熱が被加熱物の加熱に利用されると（蒸気の潜熱が被加熱物に移動すると）、蒸気の温度が低下して蒸気が凝縮し、ドレンが生じる。
【００２５】
ドレン配管２６は、蒸気消費機器１６と分離器２８とを連通する。蒸気消費機器１６で生じたドレンは、ドレン配管２６を通じて分離器２８に送られる。つまり、ドレン配管２６は、ドレンを分離器２８に導く。
【００２６】
分離器２８は、例えば、ドレン配管２６の断面積よりも断面積が大きな管により構成される。分離器２８内は、大気圧に設定される。気体流通管３０は、分離器２８の鉛直上部に連通している。気体流通管３０は、給水タンク２０の鉛直上方から給水タンク２０内に挿入されている。給水タンク２０内に挿入された気体流通管３０の先端は、給水タンク２０内の水面よりも上方に位置する。
【００２７】
液体流通管３２は、一端が分離器２８の鉛直下部（底部）に連通しており、他端が給水配管２４に連通している。液体流通管３２の給水配管２４側の端部は、給水配管２４における給水タンク２０と給水ポンプ１４との間に位置する。
【００２８】
分離器２８は、ドレン配管２６を通じて供給されたドレンを、大気圧において、液体成分と気体成分とに分離する。具体的には、ドレン配管２６を通じて供給されたドレンは、気体成分（蒸気）と液体成分（水）とが混ざり合った気液混合状態となっている。このドレンが分離器２８に入ると、ドレンの液体成分は、自重で鉛直下方に移動して液体流通管３２に入る。一方、ドレンの気体成分は、液体成分よりも相対的に軽いことから、主に鉛直上方に拡散して気体流通管３０に入る。
【００２９】
また、蒸気消費機器１６で生じたドレンは、大気圧よりも高圧で１００℃以上の高温となっている。このドレンがドレン配管２６を通じて分離器２８に入ると、分離器２８内が大気圧となっているため、ドレンの液体成分は、大気圧で１００℃となる。そして、ドレンの液体成分は、圧力が低下したことにより発生した圧力差分の潜熱を利用して、液体成分の一部を蒸気（フラッシュ蒸気）に変える。気体流通管３０に入るドレンの気体成分は、このようにして発生した蒸気（フラッシュ蒸気）も含まれる。
【００３０】
分離器２８で分離された気体成分（フラッシュ蒸気も含む）は、気体流通管３０を通じて給水タンク２０に送られる。つまり、気体流通管３０は、分離された気体成分を給水タンク２０に導く気体流通部として機能する。
【００３１】
給水タンク２０の上部には、給水タンク２０の内外を連通する通気管３４が設けられている。給水タンク２０に送られた蒸気の一部は、通気管３４を通じて給水タンク２０外に放出される。
【００３２】
分離器２８で分離された液体成分は、液体流通管３２を通じて給水配管２４に送られる。つまり、液体流通管３２は、分離された液体成分を、給水タンク２０を介さずに給水配管２４に導く液体流通部として機能する。
【００３３】
給水タンク２０から給水配管２４に送出される水の温度は、例えば、約２０℃である。一方、液体流通管３２を通じて給水配管２４に送られる液体成分の温度は、約１００℃である。このため、給水配管２４では、液体流通管３２を通じて送られた高温の液体成分と、給水タンク２０から送出された低温の水とが混合される。この混合水の温度は、例えば、上限温度が約８０℃〜約９０℃であり、下限温度が約６０℃の範囲内となる。給水ポンプ１４および蒸気供給源１２には、このような温度となった水（混合水）が供給されることとなる。
【００３４】
給水タンク２０内には、給水タンク２０内の水位を検出するレベル計３６が設けられている。補給水管２２には、補給水管２２における流路を開閉（オンまたはオフ）する補給水弁３８が設けられている。制御部４０は、中央処理装置（ＣＰＵ）、不揮発性メモリ、揮発性メモリ等を含む半導体集積回路から構成される。制御部４０は、レベル計３６の検出結果に基づいて、補給水弁３８の開度（１００％または０％）を制御する。制御部４０は、例えば、給水タンク２０内の水位が、所定範囲内（例えば、図１における一点鎖線Ｈ１と一点鎖線Ｈ２との間）となるように補給水弁３８を開閉させる。
【００３５】
なお、補給水弁３８の開閉については、制御部４０がレベル計３６の検出結果に基づいて制御する態様に限らない。例えば、水面の変位に応じて補給水弁３８を物理的に開閉させるボールタップなどによって補給水弁３８を開閉させてもよい。この場合、制御部４０は設けられなくてもよい。
【００３６】
また、給水タンク２０の側面には、オーバーフロー管４２が接続されている。オーバーフロー管４２は、給水タンク２０内の水位の制御範囲における上限水位（一点鎖線Ｈ２）よりも鉛直上方の位置において給水タンク２０に連通している。例えば、補給水弁３８の開閉制御に異常が生じて、給水タンク２０内に、上限水位を超えて過度に水が貯留されていった場合、給水タンク２０内の水は、オーバーフロー管４２を通じて給水タンク２０外に排出される。
【００３７】
以上のように、第１実施形態のドレン回収システム１０では、温度が約１００℃のドレンの液体成分を、給水タンク２０を経由することなく直接的に給水配管２４に送るようにしている。
【００３８】
したがって、第１実施形態のドレン回収システム１０によれば、蒸気供給源１２に供給する水の温度を高くすることが可能となる。その結果、第１実施形態のドレン回収システム１０では、蒸気供給源１２において、供給された水を加熱する際のエネルギーを低減させることができる。
【００３９】
また、第１実施形態のドレン回収システム１０では、ドレンの気体成分を、気体流通管３０を通じて給水タンク２０に送るようにしている。これにより、ドレンの気体成分は、給水配管２４を通じて給水ポンプ１４に送られない。このため、第１実施形態のドレン回収システム１０では、給水ポンプ１４においてキャビテーションが生じるのを防止できる。
【００４０】
（第２実施形態）
図２は、第２実施形態によるドレン回収システム１１０が適用された蒸気熱交換ユニット１０１の構成を示す概略図である。第２実施形態のドレン回収システム１１０は、シャワー管５０、噴出口５２、コントロールバルブ５４をさらに有する点において、第１実施形態のドレン回収システム１０と異なる。したがって、第１実施形態と機能が等しい給水タンク２０、補給水管２２、給水配管２４、ドレン配管２６、分離器２８、気体流通管３０、液体流通管３２、通気管３４、レベル計３６、補給水弁３８、制御部４０については、その詳細な説明を省略し、機能が異なるシャワー管５０、噴出口５２、コントロールバルブ５４について詳述する。
【００４１】
シャワー管５０は、補給水弁３８よりも軟水器側の位置において、補給水管２２に連通している。また、シャワー管５０は、分離器２８の鉛直上方の位置において、気体流通管３０に連通している。補給水の一部は、シャワー管５０を通じて気体流通管３０に送られる。つまり、シャワー管は、補給水を気体流通管３０に導く。
【００４２】
図３は、シャワー管５０と気体流通管３０との接続部分の部分拡大図である。シャワー管５０の先端には、気体流通管３０内に開口する噴出口５２が設けられている。噴出口５２は、鉛直下方（分離器２８方向）に開口している。噴出口５２は、例えば、じょうろ状に形成されている。なお、噴出口５２の形状は、じょうろ状に限らない。例えば、噴出口５２は、水滴を形成させる小孔が設けられていればよい。
【００４３】
噴出口５２からは、シャワー管５０を通じて送られた水（補給水）がシャワー状となって放出される。つまり、ドレン回収システム１１０は、分離器２８で分離されたドレンの気体成分にシャワー状の水（シャワー水）をかける構成となっている。
【００４４】
図２に戻って、シャワー管５０には、シャワー管５０における流路を開閉するコントロールバルブ５４が設けられている。制御部４０は、レベル計３６の検出結果に基づいて、コントロールバルブ５４の開度（閉度）をリニアに制御する。
【００４５】
制御部４０は、例えば、レベル計３６の検出水位が低くなるにしたがって、コントロールバルブ５４の開度を漸増させて、気体流通管３０内に放出するシャワー量を多くする。一方、制御部４０は、レベル計３６の検出水位が高くなるにしたがって、コントロールバルブ５４の開度を漸減させて、気体流通管３０内に放出するシャワー量を少なくする。
【００４６】
また、制御部４０は、給水タンク２０内の水位の制御範囲における下限水位（一点鎖線Ｈ１）、すなわち、補給水弁３８を閉状態から開状態に変化させる水位以上において、コントロールバルブ５４の開度を制御する。
【００４７】
ドレンの気体成分にシャワー水をかけると、ドレンの気体成分とシャワー水との間で熱交換が行われ、ドレンの気体成分の潜熱によってシャワー水の温度が上がる。温度が上がったシャワー水は、自重で鉛直下方に落下し、分離器２８を介して液体流通管３２に入る。そして、温度が上がったシャワー水は、ドレンの液体成分とともに、液体流通管３２を通じて給水配管２４に送られる。以後、液体流通管３２に送られるドレンの液体成分および温度が上がったシャワー水を総称して、熱回収液体と呼ぶことがある。
【００４８】
給水配管２４では、ドレンの液体成分だけでなく、温度が上がったシャワー水も、給水タンク２０から送出された水に混合される。このため、第２実施形態のドレン回収システム１１０では、第１実施形態に比べ、蒸気供給源１２に供給する水の温度がより高くなる。
【００４９】
以上のように、第２実施形態のドレン回収システム１１０では、熱回収液体を、給水タンク２０を経由することなく直接的に給水配管２４に送るようにしている。したがって、第２実施形態のドレン回収システム１１０によれば、第１実施形態と同様に、蒸気供給源１２に供給する水の温度を高くすることが可能となる。
【００５０】
さらに、第２実施形態のドレン回収システム１１０では、ドレンの液体成分だけでなく、ドレンの気体成分の熱も利用して、蒸気供給源１２に供給する水の温度を高くしている。このため、第２実施形態のドレン回収システム１１０では、蒸気供給源１２に供給する水の温度を、効率よく高くすることができる。
【００５１】
また、第２実施形態のドレン回収システム１１０では、給水タンク２０内の水位が低い場合にシャワー量が多くなる。シャワー量が多くなると、液体流通管３２を流通する熱回収液体が多くなり、給水タンク２０から給水配管２４に送出される水量が相対的に少なくなる。このため、第２実施形態のドレン回収システム１１０では、給水タンク２０内の水位が低い場合に、給水タンク２０内の水位が低くなる速度を緩和することができる。
【００５２】
また、第２実施形態のドレン回収システム１１０では、給水タンク２０内の水位が高い場合にシャワー量が少なくなる。シャワー量が少なくなると、液体流通管３２を流通する熱回収液体が少なくなり、給水タンク２０から給水配管２４に送出される水量が相対的に多くなる。このため、第２実施形態のドレン回収システム１１０では、給水タンク２０内の水位が高い場合に、給水タンク２０内の水位が高くなる速度を緩和することができる。
【００５３】
また、第２実施形態のドレン回収システム１１０では、下限水位（一点鎖線Ｈ１）以上においてコントロールバルブ５４の開度が制御されるため、補給水が給水タンク２０に送入されるよりも優先して、シャワー水が気体流通管３０に送入されることとなる。このため、第２実施形態のドレン回収システム１１０では、熱回収液体を効率よく生成することができ、蒸気供給源１２に供給する水の温度を効率よく高くすることが可能となる。
【００５４】
なお、第２実施形態のドレン回収システム１１０では、コントロールバルブ５４の開閉制御と、補給水弁３８の開閉制御とを共通の制御部４０で行っていた。しかし、コントロールバルブ５４の開閉制御と、補給水弁３８の開閉制御とを別個の制御部４０で行ってもよい。また、ボールタップなどの物理的な機構によって補給水弁３８の開閉制御を行う場合、制御部４０は、補給水弁３８の開閉制御に関与せず、コントロールバルブ５４の開閉制御のみを行ってもよい。
【００５５】
（第３実施形態）
図４は、第２実施形態のドレン回収システム１１０を説明する説明図である。ここで、給水ポンプ１４は、通常、蒸気供給源１２（ボイラ）内の水位が所定の下限閾値以下となると（水が少なくなると）動作を開始して、給水配管２４を通じて蒸気供給源１２に水を供給する。一方、給水ポンプ１４は、蒸気供給源１２（ボイラ）内の水位が所定の上限閾値以上となると（水が多くなると）動作を停止して、蒸気供給源１２への給水配管２４を通じた水の供給を中断する。図４は、給水ポンプ１４が動作を停止した状態を示している。
【００５６】
これに対し、蒸気供給源１２は、給水ポンプ１４による水の供給の有無に依らず、所定量の蒸気を生成し、生成した蒸気を連続的に蒸気消費機器１６に供給する。つまり、蒸気消費機器１６において、ドレンは、蒸気供給源１２への水の供給の有無に依らずに生じる。このため、ドレン回収システム１１０では、給水ポンプ１４が停止して蒸気供給源１２への水の供給は行われないが、液体流通管３２を通じて給水配管２４に熱回収液体が送られる状況が起こり得る。
【００５７】
このような状況では、図４に示すように、液体流通管３２を通じて給水配管２４に送られた熱回収流体は、給水ポンプ１４（蒸気供給源１２）側には流通せず、給水タンク２０に送られることとなる。なお、図４のバツ印がついた矢印は、熱回収流体が矢印の方向に流れないことを示している。給水タンク２０に送られた熱回収液体は、給水タンク２０における給水配管２４付近に滞留することとなる。これにより、給水タンク２０における給水配管２４付近の水の温度は、１００℃近い温度に上昇する。
【００５８】
その後、給水ポンプ１４が動作を開始すると、給水配管２４付近の１００℃近い温度に上昇した水が給水配管２４に送られる。その結果、給水配管２４付近の１００℃近い温度の水と、液体流通管３２を通じた熱回収液体とが混合した１００℃近い温度の水が、給水ポンプ１４に供給されることとなる。
【００５９】
１００℃近い温度の水が給水ポンプ１４に供給されると、給水タンク２０の水圧と給水ポンプ１４の必要ヘッド圧との関係によっては、気泡が出易くなり、キャビテーションが生じるおそれがある。そこで、このような状況に鑑みて、第３実施形態を以下のように構成した。
【００６０】
図５は、第３実施形態によるドレン回収システム２１０が適用された蒸気熱交換ユニット２０１の構成を示す概略図である。図５（ａ）は、給水ポンプ１４が停止している場合を示している。図５（ｂ）は、給水ポンプ１４が動作している場合を示している。
【００６１】
第３実施形態のドレン回収システム２１０は、逆止弁６０および連通管６２をさらに有する点において第２実施形態のドレン回収システム１１０と異なる。したがって、第１実施形態および第２実施形態と機能が等しい給水タンク２０、補給水管２２、給水配管２４、ドレン配管２６、分離器２８、気体流通管３０、液体流通管３２、通気管３４、レベル計３６、補給水弁３８、制御部４０、シャワー管５０、噴出口５２、コントロールバルブ５４については、その詳細な説明を省略し、機能が異なる逆止弁６０および連通管６２について詳述する。
【００６２】
逆止弁６０は、給水配管２４における液体流通管３２が連通する位置と、給水タンク２０との間に設けられる。逆止弁６０は、給水タンク２０から蒸気供給源１２に向かう方向の流れを許可し、蒸気供給源１２および液体流通管３２から給水タンク２０に向かう方向の流れを阻止する。
【００６３】
連通管６２は、液体流通管３２と給水タンク２０とを連通する。連通管６２における液体流通管３２側の端部と給水タンク２０側の端部とは、大凡同じ高さに位置する。連通管６２は、給水配管２４よりも鉛直上方であり、給水タンク２０の水面以下の高さに設けられる。具体的には、連通管６２は、制御部４０による給水タンク２０内の水位の制御範囲における下限水位（一点鎖線Ｈ１）以下であり、その下限水位に近い位置に設けられる。また、連通管６２における給水タンク２０側の端部は、給水タンク２０における給水配管２４が連通する位置から鉛直上方に離隔している。
【００６４】
連通管６２は、連通管６２による圧損が液体流通管３２による圧損よりも大きくなるように構成されている。具体的には、連通管６２の内径および内部断面積は、液体流通管３２の内径および内部断面積よりも小さい。例えば、液体流通管３２の内径が約５３ｍｍであるとき、連通管６２の内径は約９ｍｍである。換言すると、連通管６２の内部断面積は、液体流通管３２の内部断面積の約３３分の１としている。なお、連通管６２の内径および内部断面積の具体的な数値は、この例に限らない。
【００６５】
図５（ａ）に示すように、給水ポンプ１４が停止した場合、熱回収液体は、液体流通管３２に送られ続ける。しかし、給水配管２４に逆止弁６０が設けられているため、熱回収液体は、給水配管２４を介して給水タンク２０に流れない。
【００６６】
一方、液体流通管３２には連通管６２が設けられているため、熱回収液体は、液体流通管３２から連通管６２を通じて給水タンク２０に溢れ出る。これにより、熱回収液体は、給水タンク２０における給水配管２４から比較的遠い位置である連通管６２付近に滞留することとなる。
【００６７】
その後、図５（ｂ）に示すように、給水ポンプ１４が動作を開始すると、給水タンク２０における給水配管２４付近の温度の低い水が、逆止弁６０を通じて給水ポンプ１４側に送り出される。そして、給水ポンプ１４には、逆止弁６０を流通した水と、液体流通管３２内の熱回収液体とが混合した混合水が供給される。この混合水の温度は、例えば、上限温度が約８０℃〜約９０℃であり、下限温度が約６０℃の範囲内となる。
【００６８】
また、上述のように、連通管６２による圧損は、液体流通管３２による圧損よりも大きくなっている。このため、給水ポンプ１４が動作しているとき、液体流通管３２内の熱回収液体は、連通管６２にはほとんど流れることはなく、液体流通管３２を通じて給水配管２４に送出される。図５（ｂ）におけるかっこで括ったバツ印付きの矢印は、液体流通管３２から給水タンク２０に連通管６２を通じて熱回収流体がほとんど流れないことを示している。
【００６９】
なお、連通管６２による圧損は、給水配管２４による圧損よりも大きくなっていてもよい。この場合、給水ポンプ１４が動作しているとき、給水タンク２０内の水は、連通管６２にはあまり流れず、給水配管２４に送出される。
【００７０】
以上のように、第３実施形態のドレン回収システム２１０では、熱回収液体を、給水タンク２０を経由することなく直接的に給水配管２４に送るようにしている。したがって、第３実施形態のドレン回収システム２１０によれば、第１実施形態および第２実施形態と同様に、蒸気供給源１２に供給する水の温度を高くすることが可能となる。
【００７１】
さらに、第３実施形態のドレン回収システム２１０では、給水ポンプ１４が停止しても、温度の高い熱回収液体が給水タンク２０の給水配管２４付近に滞留しない。このため、第３実施形態のドレン回収システム２１０では、給水ポンプ１４が動作を開始したときに、１００℃付近の水が給水ポンプ１４に送られることを回避できる。したがって、第３実施形態のドレン回収システム２１０では、給水ポンプ１４の動作および停止の繰り返しに基づく混合水の上限温度のばらつきを抑え、キャビテーションが生じるのを防止できる。
【００７２】
（第４実施形態）
図６は、第４実施形態によるドレン回収システム３１０が適用された蒸気熱交換ユニット３０１の構成を示す概略図である。図６（ａ）は、給水ポンプ１４が停止している場合を示している。図６（ｂ）は、給水ポンプ１４が動作している場合を示している。
【００７３】
第４実施形態のドレン回収システム３１０は、連通管６２に代えて連通管７２を有する点において第３実施形態のドレン回収システム２１０と異なる。したがって、第１実施形態から第３実施形態と機能が等しい給水タンク２０、補給水管２２、給水配管２４、ドレン配管２６、分離器２８、気体流通管３０、液体流通管３２、通気管３４、レベル計３６、補給水弁３８、制御部４０、シャワー管５０、噴出口５２、コントロールバルブ５４、逆止弁６０については、その詳細な説明を省略し、機能が異なる連通管７２について詳述する。
【００７４】
連通管７２は、液体流通管３２と給水タンク２０とを連通する。連通管７２は、水平面に対して傾斜して設けられている。連通管７２の液体流通管３２側の端部７６は、給水タンク２０側の端部７４に比べて、鉛直上方に位置する。
【００７５】
具体的には、連通管７２の給水タンク２０側の端部７４は、制御部４０による給水タンク２０内の水位の制御範囲における下限水位（一点鎖線Ｈ１）以下であり、その下限水位付近に位置する。また、連通管７２の給水タンク２０側の端部７４は、給水タンク２０における給水配管２４が連通する位置から鉛直上方に離隔している。一方、連通管７２の液体流通管３２側の端部７６は、制御部４０による給水タンク２０内の水位の制御範囲における上限水位（一点鎖線Ｈ２）以上に位置する。また、連通管７２の液体流通管３２側の端部７６は、オーバーフロー管４２が給水タンク２０に連通する位置よりも鉛直下方に位置する。
【００７６】
図６（ａ）に示すように、給水ポンプ１４が停止した場合、熱回収液体が液体流通管３２に送られ続けるが、給水配管２４内の水が流通しなくなる。このため、液体流通管３２内に熱回収液体が溜まっていき、液体流通管３２内の水位が給水タンク２０内の水位よりも高くなる。
【００７７】
液体流通管３２内の水位が、液体流通管３２側の端部７６の高さを超えると、液体流通管３２内の熱回収液体は、オーバーフローして連通管７２に入る。これにより、熱回収液体は、連通管７２を通じて給水タンク２０に溢れ出て、給水タンク２０における給水配管２４から比較的遠い位置である連通管７２付近に滞留することとなる。
【００７８】
その後、図６（ｂ）に示すように、給水ポンプ１４が動作を開始すると、給水タンク２０における給水配管２４付近の温度の低い水が、逆止弁６０を通じて給水ポンプ１４側に送出される。このため、ドレン回収システム３１０では、１００℃付近の水が給水ポンプ１４に送られることを回避できる。
【００７９】
また、給水ポンプ１４が動作している場合、液体流通管３２内の水位が給水タンク２０内の水位とほぼ同じであるため、熱回収液体は、連通管７２に入らない。このため、ドレン回収システム３１０では、給水ポンプ１４の動作時に、熱回収液体を給水配管２４に効率よく送出することができる。
【００８０】
なお、連通管７２の内径および内部断面積は、液体流通管３２の内径および内部断面積よりも小さくなくてもよい。
【００８１】
以上のように、第４実施形態のドレン回収システム３１０では、熱回収液体を、給水タンク２０を経由することなく直接的に給水配管２４に送るようにしている。したがって、第４実施形態のドレン回収システム３１０によれば、第１実施形態から第３実施形態と同様に、蒸気供給源１２に供給する水の温度を高くすることが可能となる。
【００８２】
また、第４実施形態のドレン回収システム３１０では、第３実施形態と同様に、給水ポンプ１４の動作および停止の繰り返しに基づく混合水の上限温度のばらつきを抑え、キャビテーションが生じることを防止できる。
【００８３】
なお、第４実施形態のドレン回収システム３１０の連通管７２は、水平面に対して傾斜していた。しかし、連通管７２は、液体流通管３２側の端部７６が給水タンク２０側の端部７４に比べて鉛直上方に位置していればよく、傾斜していなくてもよい。例えば、連通管７２は、階段状に折れ曲がっていてもよい。
【００８４】
（第５実施形態）
図７は、第５実施形態によるドレン回収システム４１０が適用された蒸気熱交換ユニット４０１の構成を示す概略図である。第５実施形態のドレン回収システム４１０は、液体流通管３２に代えて液体流通管８０を有し、オーバーフロー管８２、オーバーフロー弁８４およびドレン温度センサ８６をさらに有する点において第３実施形態のドレン回収システム２１０と異なる。したがって、第１実施形態から第３実施形態と機能が等しい給水タンク２０、補給水管２２、給水配管２４、ドレン配管２６、分離器２８、気体流通管３０、通気管３４、レベル計３６、補給水弁３８、制御部４０、シャワー管５０、噴出口５２、コントロールバルブ５４、逆止弁６０、連通管６２については、その詳細な説明を省略し、機能が異なる液体流通管８０、オーバーフロー管８２、オーバーフロー弁８４およびドレン温度センサ８６について詳述する。
【００８５】
液体流通管８０は、第１鉛直部８０ａ、水平部８０ｂおよび第２鉛直部８０ｃから構成されており、液体流通部として機能する。第１鉛直部８０ａは、分離器２８の鉛直下部（底部）に連通しており、分離器２８から鉛直下方に延在している。水平部８０ｂは、第１鉛直部に連通しており、第１鉛直部８０ａから水平方向に延在している。第２鉛直部８０ｃは、水平部８０ｂに連通しており、鉛直方向に延在している。第２鉛直部８０ｃは、給水配管２４における給水ポンプ１４と逆止弁６０との間において給水配管２４に連通している。
【００８６】
水平部８０ｂは、給水タンク２０内の水面よりも鉛直上方に位置する。具体的には、水平部８０ｂは、制御部４０による給水タンク２０内の水位の制御範囲における上限水位（一点鎖線Ｈ２）以上に位置する。
【００８７】
連通管６２は、第２鉛直部８０ｃと給水タンク２０とを連通する。連通管６２は、制御部４０による給水タンク２０内の水位の制御範囲における下限水位（一点鎖線Ｈ１）以下において水平に設けられている。連通管６２は、連通管６２による圧損が液体流通管８０による圧損よりも大きくなるように構成されている。
【００８８】
オーバーフロー管８２は、第１鉛直部８０ａに連通しており、第１鉛直部８０ａと水平部８０ｂとの接続位置から鉛直下方に延びている。オーバーフロー管８２の先端は、開放されている。オーバーフロー管８２には、オーバーフロー管８２による流路を開閉（オンまたはオフ）するオーバーフロー弁８４が設けられている。
【００８９】
ドレン配管２６には、ドレン配管２６内の温度を検出するドレン温度センサ８６が設けられている。制御部４０は、ドレン温度センサ８６の検出結果に基づいてオーバーフロー弁８４の開度（１００％または０％）を制御する。具体的には、制御部４０は、ドレン温度センサ８６の検出温度が所定温度を下回った場合、オーバーフロー弁８４を開かせ、ドレン温度センサ８６の検出温度が所定温度以上となった場合、オーバーフロー弁８４を閉じさせる。所定温度は、例えば、２０℃と１００℃との間の、例えば、６０℃などに設定される。
【００９０】
例えば、蒸気熱交換ユニット４０１は、昼間に稼働し、夜間に停止されるものとする。蒸気熱交換ユニット４０１では、蒸気熱交換ユニット４０１の停止前に蒸気消費機器１６で生じたドレンが、蒸気熱交換ユニット４０１の停止後に、ドレン配管２６内に残っていることがある。蒸気熱交換ユニット４０１が停止されてから時間が経過すると、ドレン配管２６内の温度が徐々に低下する。そうすると、ドレン配管２６内のドレンの気体成分が凝縮して液体成分に変わり、凝縮した液体成分がドレン配管２６内に滞留する。
【００９１】
また、ドレンの気体成分が凝縮すると、気体流通管３０および分離器２８を通じて、ドレン配管２６内に空気が入る。このように、ドレン配管２６内は、ドレンの液体成分が滞留し、かつ、空気が導入されるため、さびが生じ易い。
【００９２】
ドレン回収システム４１０では、蒸気熱交換ユニット４０１が停止されて、ドレン配管２６内の温度が所定温度よりも低くなると、オーバーフロー弁８４が開く。そして、オーバーフロー弁８４は、蒸気熱交換ユニット４０１が次（例えば、翌朝）に起動されて、ドレン配管２６内の温度が所定温度以上となるまで、開状態に維持される。
【００９３】
また、蒸気熱交換ユニット４０１では、起動してからドレン配管２６内の温度が所定温度以上となるまでには、時間がかかる。蒸気熱交換ユニット４０１が起動してからドレン配管２６内の温度が所定温度以上になるまでの間、ドレン配管２６内に滞留していたさびを含む液体成分は、蒸気熱交換ユニット４０１の起動により新たに生じたドレンによって分離器２８側に移動される。そして、さびを含む液体成分は、第１鉛直部８０ａおよびオーバーフロー管８２を通じて外に排出される。
【００９４】
また、蒸気熱交換ユニット４０１の起動直後におけるドレンの液体成分は、温度が十分に高くなっていない（冷たくなっている）。ドレン回収システム４１０では、蒸気熱交換ユニット４０１の起動直後の温度が低い液体成分を、第１鉛直部８０ａおよびオーバーフロー管８２を通じて外に排出することができる。
【００９５】
以上のように、第５実施形態のドレン回収システム４１０では、熱回収液体を、給水タンク２０を経由することなく直接的に給水配管２４に送るようにしている。したがって、第５実施形態のドレン回収システム４１０によれば、第１実施形態から第４実施形態と同様に、蒸気供給源１２に供給する水の温度を高くすることが可能となる。
【００９６】
さらに、第５実施形態のドレン回収システム４１０では、蒸気熱交換ユニット４０１の起動時に、さびを含む液体成分および温度が低い液体成分を、オーバーフロー管８２を通じて効率よく外に排出することができる。その結果、第５実施形態のドレン回収システム４１０では、さびを含む水が蒸気供給源１２に供給されることを防止できる。
【００９７】
なお、第５実施形態のドレン回収システム４１０では、さびに限らず、ごみなども併せて、オーバーフロー管８２から排出することができる。
【００９８】
また、第５実施形態のドレン回収システム４１０において、蒸気熱交換ユニット４０１の起動時に、さび等を含む液体成分をオーバーフロー管８２から排出するとともに、補給水管２２を通じて新たな水を補給してもよい。この態様によれば、蒸気供給源１２の水をリフレッシュすることができる。
【００９９】
また、第５実施形態のドレン回収システム４１０では、気体流通管３０の先端が給水タンク２０内の水面よりも鉛直上方に位置していた。しかし、場合によっては、気体流通管３０の先端が給水タンク２０内の水面下に位置するように構成することがある。この構成では、ドレン配管２６内の温度が低下してドレンが凝縮する際、気体流通管３０を通じて給水タンク２０内の水を吸い上げることがある。
【０１００】
これに対し、第５実施形態のドレン回収システム４１０では、ドレン配管２６内の温度が低下してオーバーフロー弁８４が開くと、オーバーフロー管８２を通じてドレン配管２６内に空気が導入される。このため、第５実施形態のドレン回収システム４１０では、気体流通管３０を通じた給水タンク２０内の水の吸い上げを防止できる。
【０１０１】
（第６実施形態）
図８は、第６実施形態によるドレン回収システム５１０が適用された蒸気熱交換ユニット５０１の構成を示す概略図である。第６実施形態のドレン回収システム５１０は、シャットバルブ９０をさらに有する点において第５実施形態のドレン回収システム４１０と異なる。したがって、第１実施形態から第５実施形態と機能が等しい給水タンク２０、補給水管２２、給水配管２４、ドレン配管２６、分離器２８、気体流通管３０、通気管３４、レベル計３６、補給水弁３８、制御部４０、シャワー管５０、噴出口５２、コントロールバルブ５４、逆止弁６０、連通管６２、液体流通管８０、オーバーフロー管８２、オーバーフロー弁８４、ドレン温度センサ８６については、その詳細な説明を省略し、機能が異なるシャットバルブ９０について詳述する。
【０１０２】
シャットバルブ９０は、シャワー管５０における補給水管２２とコントロールバルブ５４との間に設けられている。シャットバルブ９０は、シャワー管５０における流路を開閉（オンまたはオフ）する。
【０１０３】
制御部４０は、ドレン温度センサ８６の検出結果に基づいてシャットバルブ９０の開度（１００％または０％）を制御する。具体的には、制御部４０は、ドレン温度センサ８６の温度が所定温度を下回った場合、シャットバルブ９０を閉じさせ、ドレン温度センサ８６の温度が所定温度以上の場合、シャットバルブ９０を開かせる。
【０１０４】
つまり、第６実施形態のドレン回収システム５１０では、蒸気熱交換ユニット５０１が停止してドレン配管２６内の温度が所定温度を下回ると、シャワー管５０を通じたシャワー水の供給が停止される。また、第６実施形態のドレン回収システム５１０では、蒸気熱交換ユニット５０１が起動してドレン配管２６内の温度が所定温度以上となると、シャワー管５０を通じたシャワー水の供給が開始される。なお、気体流通管３０に放出されるシャワー量は、コントロールバルブ５４の開度で制御される。
【０１０５】
以上のように、第６実施形態のドレン回収システム５１０では、熱回収液体を、給水タンク２０を経由することなく直接的に給水配管２４に送るようにしている。したがって、第６実施形態のドレン回収システム５１０によれば、第１実施形態から第５実施形態と同様に、蒸気供給源１２に供給する水の温度を高くすることが可能となる。
【０１０６】
さらに、第６実施形態のドレン回収システム５１０では、シャワー水をドレンの気体成分に効率よくかけることができる。
【０１０７】
（第７実施形態）
図９は、第７実施形態によるドレン回収システム６１０が適用された蒸気熱交換ユニット６０１の構成を示す概略図である。第７実施形態のドレン回収システム６１０は、熱回収温度センサ９２をさらに有し、制御部４０による具体的な制御が第６実施形態のドレン回収システム５１０と異なる。したがって、第１実施形態から第６実施形態と機能が等しい給水タンク２０、補給水管２２、給水配管２４、ドレン配管２６、分離器２８、気体流通管３０、通気管３４、レベル計３６、補給水弁３８、シャワー管５０、噴出口５２、コントロールバルブ５４、逆止弁６０、連通管６２、液体流通管８０、オーバーフロー管８２、オーバーフロー弁８４、ドレン温度センサ８６、シャットバルブ９０については、その詳細な説明を省略し、機能が異なる熱回収温度センサ９２および制御部４０による制御について詳述する。
【０１０８】
熱回収温度センサ９２は、液体流通管８０の第２鉛直部８０ｃに設けられている。熱回収温度センサ９２は、液体流通管８０内（第２鉛直部８０ｃ内）の温度を検出する。
【０１０９】
制御部４０は、熱回収温度センサ９２の検出結果に基づいてコントロールバルブ５４の開度をリニアに制御する。具体的には、制御部４０は、熱回収温度センサ９２の検出結果が所定の目標温度に維持されるように、コントロールバルブ５４の開度を制御する。所定の目標温度は、例えば、９５℃である。
【０１１０】
気体流通管３０に供給されたシャワー水は、ドレンの気体成分によって温度が上昇するが、温度が上昇した後のシャワー水の温度は、ドレンの液体成分に比べ、相対的に低い場合が多い。そこで、例えば、制御部４０は、熱回収温度センサ９２による現在の温度が目標温度を上回るようであれば、コントロールバルブ５４の開度を上げて、シャワー量を増加させる。これにより、熱回収液体の温度が下降して、液体流通管８０内の温度が目標温度に戻る。また、制御部４０は、熱回収温度センサ９２による現在の温度が目標温度を下回るようであれば、コントロールバルブ５４の開度を下げて、シャワー量を減少させる。これにより、熱回収液体の温度が上昇して、液体流通管８０内の温度が目標温度に戻る。
【０１１１】
また、制御部４０は、ドレン温度センサ８６の検出結果と、レベル計３６の検出結果とに基づいて、シャットバルブ９０の開度（１００％または０％）を制御する。
【０１１２】
具体的には、制御部４０は、ドレン温度センサ８６によるドレン配管２６内の温度が所定温度以上となり、かつ、レベル計３６による給水タンク２０内の水位が所定の下限水位以下となった場合に、シャットバルブ９０の開度を１００％とする（シャットバルブ９０を開状態にさせる）。
【０１１３】
所定温度は、例えば、２０℃と１００℃との間の、例えば、６０℃などに設定される。なお、ここでの所定温度は、第５実施形態におけるオーバーフロー弁８４の開度の判定基準である所定温度と、共通していてもよいし、異なっていてもよい。
【０１１４】
また、所定の下限水位は、例えば、補給水弁３８を開かせる下限水位（一点鎖線Ｈ１）よりも高い水位に設定される。図９では、シャットバルブ９０を開かせる下限水位を一点鎖線Ｈ３で示す。なお、シャットバルブ９０を開かせる下限水位（一点鎖線Ｈ３）は、補給水弁３８を開かせる下限水位（一点鎖線Ｈ１）よりも高ければよく、補給水弁３８を開かせる上限水位（一点鎖線Ｈ２）以下であってもよいし、補給水弁３８を開かせる上限水位（一点鎖線Ｈ２）よりも高くてもよい。
【０１１５】
つまり、ドレン回収システム６１０では、蒸気熱交換ユニット６０１が起動してから十分に時間が経過した場合において、補給水の給水タンク２０への補給よりも優先してシャワー水が供給される。
【０１１６】
また、制御部４０は、レベル計３６による給水タンク２０内の水位が所定の上限水位を上回った場合に、シャットバルブ９０の開度を０％とする（シャットバルブ９０を閉状態にさせる）。なお、制御部４０は、ドレン温度センサ８６によるドレン配管２６内の温度に依存せずに、シャットバルブ９０を閉状態にさせる。
【０１１７】
所定の上限水位は、例えば、シャットバルブ９０を開かせる下限水位（一点鎖線Ｈ３）よりも高く、かつ、補給水弁３８を開かせる上限水位（一点鎖線Ｈ２）よりも高い水位に設定される。図９では、シャットバルブ９０を閉じさせる上限水位を一点鎖線Ｈ４で示す。つまり、ドレン回収システム６１０では、シャワー水の供給の停止よりも、補給水の給水タンク２０への補給の停止が優先される。
【０１１８】
以上のように、第７実施形態のドレン回収システム６１０では、熱回収液体を、給水タンク２０を経由することなく直接的に給水配管２４に送るようにしている。したがって、第７実施形態のドレン回収システム６１０によれば、第１実施形態から第６実施形態と同様に、蒸気供給源１２に供給する水の温度を高くすることが可能となる。
【０１１９】
さらに、第７実施形態のドレン回収システム６１０では、熱回収温度センサ９２の検出結果が所定の目標温度に維持されるように、コントロールバルブ５４の開度が制御されるため、液体流通管８０内の温度が目標温度に維持される。このため、第７実施形態のドレン回収システム６１０では、蒸気供給源１２に供給する水の温度のばらつきを抑制することができる。
【０１２０】
また、第７実施形態のドレン回収システム６１０では、ドレン温度センサ８６の検出結果およびレベル計３６の検出結果に基づいて、シャットバルブ９０の開閉が行われる。このため、第７実施形態のドレン回収システム６１０では、シャワー水をドレンの気体成分に効率よくかけることができる。
【０１２１】
以上、添付図面を参照しながら本発明の実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１２２】
例えば、各実施形態の特徴を組み合わせてもよい。
【産業上の利用可能性】
【０１２３】
本発明は、蒸気供給源で生成される蒸気の潜熱が被加熱物の加熱に利用されることで生じるドレンを回収するドレン回収システムに利用することができる。
【符号の説明】
【０１２４】
１、１０１、２０１、３０１、４０１、５０１、６０１  蒸気熱交換ユニット
１０、１１０、２１０、３１０、４１０、５１０、６１０  ドレン回収システム
１２  蒸気供給源
２０  給水タンク
２４  給水配管
２８  分離器
３０  気体流通管（気体流通部）
３２、８０  液体流通管（液体流通部）
５０  シャワー管
５２  噴出口
５４  コントロールバルブ
６０  逆止弁
６２、７２  連通管
８２  オーバーフロー管
８４  オーバーフロー弁
８６  ドレン温度センサ
９０  シャットバルブ
９２  熱回収温度センサ
【図１】
2020060325.tif 000003
【図２】
2020060325.tif 000004
【図３】
2020060325.tif 000005
【図４】
2020060325.tif 000006
【図５】
2020060325.tif 000007
【図６】
2020060325.tif 000008
【図７】
2020060325.tif 000009
【図８】
2020060325.tif 000010
【図９】
2020060325.tif 000011